(57)【要約】【課題】本発明の課題は、施設利用者による管理された場所での滞在時間を管理できるシステムを提供することである。【解決手段】開閉門特定情報を含む有効期限データと開閉門特定情報を含む通行許可情報を記憶するＩＣカードと、ＩＣカードから有効期限データを読み取って、開閉門装置の通過期限時刻データが有効期限を過ぎているか否かを判定して、ＩＣカードの通過許可情報の開閉門特定情報を用いて開閉門特定情報と所要時間情報を対応付けたルートテーブルを参照して、対応する所要時間情報を選択して、これを現在時刻情報に加算して通過期限時刻データを算出して、これを含む有効期限データを作成して、ＩＣカードに記録されている有効期限データを更新する開閉門装置と、を備えることを特徴とする滞留検知システムである。【選択図】図１
2008197950.tif 000002
【特許請求の範囲】
【請求項１】
ＩＣカードと開閉門装置から構成される滞留検知システムであって、
前記ＩＣカードは、開閉門特定情報を含む有効期限データと開閉門特定情報を含む通行許可情報を記憶して、
前記開閉門装置は、
開閉門特定情報と所要時間情報を対応付けたルートテーブルと、開閉門特定情報とを記憶する記憶手段と、
ＩＣカードから有効期限データを読み取って、前記記憶する開閉門特定情報と一致する開閉門特定情報を含む有効期限データが有効期限を過ぎているか否かを判定する通過許可判定手段と、
ＩＣカードから通過許可情報を読み取って、通過許可情報の開閉門特定情報を用いてルートテーブルを参照して、対応する所要時間情報を選択して、これを現在時刻情報に加算して通過期限時刻データを算出して、これを含む有効期限データを作成して、ＩＣカードに記録されている有効期限データを更新する有効期限記録手段と、
を備えることを特徴とする滞留検知システム。
【発明の詳細な説明】
【技術分野】
【０００１】
本発明は、施設利用者が施設に滞在する時間を管理するシステムに関するものである。
【０００２】
従来から、施設の保安警備や安全性確保のために、利用者に対して施設利用管理が行われている。
【背景技術】
【０００３】
たとえば、特許文献１では、閉空間施設に設けられたＩＣタグを用いて、ＩＣタグの入場券を検知して情報管理サーバ装置に記録することで、入場者の移動状況を管理する技術が開示されている。
【特許文献１】特開２００６−１６３７８８号公報（段落００１１〜段落００１４、段落００２０〜段落００２５、図１〜３）
【発明の開示】
【発明が解決しようとする課題】
【０００４】
ところで、共同住宅（＝マンション）において、非居住者がマンションの共有空間（玄関や廊下）に不必要な時間の滞留を防ぎ、不心得者による廊下での待ち伏せや、郵便受けでの物色を防止したい。
特許文献１の技術では、ＩＣタグがリーダを通過するときの検知時刻を読み取って管理しているので、施設の管理された場所の滞在時間を管理できないという問題点があった。
【０００５】
本発明はこのような問題点を解決するためになされたものであって、本発明の課題は、施設利用者による管理された場所での滞在時間を管理できるシステムを提供することである。
【課題を解決するための手段】
【０００６】
本発明は、以下のような解決手段により、前記課題を解決する。すなわち、請求項１の発明は、ＩＣカード（１００）と開閉門装置（３００）から構成される滞留検知システムであって、前記ＩＣカード（１００）は、開閉門特定情報を含む有効期限データ（１９１）と開閉門特定情報を含む通行許可情報（１９３）を記憶して、前記開閉門装置は、開閉門特定情報と所要時間情報を対応付けたルートテーブル（３９５）と、開閉門特定情報（３９１）とを記憶する記憶手段と、
ＩＣカード（１００）から有効期限データ（１９１）を読み取って、前記記憶する開閉門特定情報（３９１）と一致する開閉門特定情報を含む有効期限データ（１９１）が有効期限を過ぎているか否かを判定する通過許可判定手段と、
ＩＣカード（１００）から通過許可情報（１９３）を読み取って、通過許可情報（１９３）の開閉門特定情報を用いてルートテーブル（３９５）を参照して、対応する所要時間情報を選択して、これを通過時刻情報に加算して通過期限時刻データを算出して、これを含む有効期限データを作成して、ＩＣカードに記録されている有効期限データ（１９１）を更新する有効期限記録手段と、を備えることを特徴とする滞留検知システムである。
【０００７】
ここで、有効期限データの時刻情報が通過時刻を過ぎていなければ有効期限内であるので、開閉門装置を利用して共有空間を通過することができる。一方、有効期限データの時刻情報が通過時刻を過ぎていれば、有効期限を過ぎているので、開閉門装置を利用することができず、従って共有空間を通過することができない。
【発明の効果】
【０００８】
本願発明によれば、
（１）施設利用者が所持するＩＣカードが有効期限内であれば、開閉門装置を利用して共有空間を通過することができる。
（２）一方、施設利用者が所持するＩＣカードが有効期限を過ぎていれば、開閉門装置を利用することができないので、共有空間に侵入することや通過することを阻止できる。
【発明を実施するための最良の形態】
【０００９】
以下、図面等を参照しながら、本発明の実施の形態について、更に詳しく説明する。
【００１０】
図１は、本発明による滞留検知システムの概要を説明する図である。
滞留検知システム１は、ＩＣカード１００と、開閉門装置３００とから構成されている。
【００１１】
ＩＣカード１００は、接触型、または、非接触型のカード媒体である。
ＩＣカード１００は、開閉門装置３００を開錠するための有効期限データを保持する。
【００１２】
開閉門装置３００は、ＩＣカード・リーダライタを備える。
開閉門装置３００は、コンピュータプログラムによって制御される設備である。
開閉門装置３００は、ＩＣカード１００の有効期限データを用いて、管理領域５００（たとえば施設の通路や部屋）の入退場を管理する。
開閉門装置３００は、管理領域５００の入場や退場に応じた有効期限データを作成して、ＩＣカード１００の有効期限データを更新する。（詳細は後述する）
【００１３】
なお、管理領域５００とは、たとえば施設である。施設は、管理領域Ａ５００ａ（＝玄関ホール）や管理領域Ｃ５００ｃ（＝通路）や管理領域Ｃ５００ｃ（=会議室の前室）や管理領域Ｂ５００ｂ／管理領域Ｄ５００ｄ／管理領域Ｅ５００ｅ／管理領域Ｆ５００ｆ（＝会議室）などから構成されている。
従って、各開閉門装置３００ａ／３００ｂ／３００ｃ／３００ｄ／３００ｅ／３００ｆは、対応する管理領域５００ａ／５００ｂ／５００ｃ／５００ｄ／５００ｅ／５００ｆの入場と退場を管理する。
【００１４】
図２は、ＩＣカード１００の詳細な構成図である。ＩＣカード１００は、ＣＰＵ１０１と、通信部１０２と、メモリ１０９を備える。ＣＰＵ１０１は、専用のマイクロプロセッサである。通信部１０２は、接続端子や、アンテナである。通信部１０２の接続端子は、ＩＣカード・リーダライタの接続端子板と接触接続する。また、通信部１０２のアンテナは、ＩＣカード・リーダライタのアンテナと無線接続する。メモリ１０９は、半導体メモリである。メモリ１０９は、有効期限データ１９１と通行許可情報１９３を記憶する。
【００１５】
ＩＣカード１００は、接触接続、または、無線接続したＩＣカード・リーダライタに、有効期限データ１９１と通行許可情報１９３を送信する。
また、ＩＣカード１００は、ＩＣカード・リーダライタから、有効期限データ１９１を受信して、記憶する有効期限データ１９１を更新する。
【００１６】
図３は、有効期限データ１９１の構造と例である。
有効期限データ１９１の項目は、開閉門特定情報１９１ａと通過期限時刻データ１９１ｂとから構成される。開閉門特定情報１９１ａと通過期限時刻データ１９１ｂとは対応付けられている。
【００１７】
図３には、有効期限データ１９１が例示されている。
たとえば、開閉門特定情報１９１ａ「ゲートＡ」と、通過期限時刻データ１９１ｂ「07/01/17 12:10」が対応付けられている。また、開閉門特定情報１９１ａ「ゲートＣ」と、通過期限時刻データ１９１ｂ「07/01/17 12:05」が対応付けられている。
【００１８】
図４は、通行許可情報１９３の例である。
通行許可情報１９３は、ＩＣカード１００が通過することを許可されている開閉門装置３００の開閉門特定情報である。
図４には、通行許可情報１９３が例示されている。通行許可情報１９３は、開閉門特定情報が「ゲートＡ」と、「ゲートＣ」と、「ゲートＤ」と、「ゲートＦ」である例が示されている。
【００１９】
図５は、本発明による開閉門装置３００の詳細な構成図である。
開閉門装置３００は、少なくとも、ＣＰＵ３０１と、ＩＣカード・リーダライタ３０２と、開閉扉部３０３と、メモリ３０９と、専用アプリケーションプログラムを備える。
【００２０】
メモリ３０９は、開閉門特定情報３９１と、ルートテーブル３９５を記憶する。
ルートテーブル３９５は、開閉門特定情報と所要時間情報を対応付けたデータである。
【００２１】
ＣＰＵ３０１は、マイクロプロセッサである。
ＩＣカード・リーダライタ３０２は、接続端子板、あるいは、アンテナコイルを備える。
メモリ３０９は、半導体メモリや磁気メモリである。
【００２２】
専用アプリケーションプログラムは、ＣＰＵ５０１により処理が行われるコンピュータプログラムである。本発明における専用アプリケーションプログラムは、専用アプリケーションプログラムは、通過許可判定手段３１０と、有効期限記録手段３２０と、開閉手段３３０と、から構成される。
【００２３】
通過許可判定手段３１０は、ＩＣカード１００から有効期限データ１９１を読み取って、メモリ３０９の開閉門特定情報３９１と一致する開閉門特定情報１９１ａの通過期限時刻データ１９１ｂが通過時刻情報を過ぎているか否かの有効期限を判定する。有効期限記録手段３２０は、ＩＣカード１００から通過許可情報１９３を読み取って、通過許可情報１９３の開閉門特定情報を用いてルートテーブル３９５を参照して、通過許可情報１９３の開閉門特定情報と一致するルートテーブル３９５の開閉門特定情報に対応する所要時間情報を選択して、これを通過時刻情報に加算して通過期限時刻データを算出して、これを含む有効期限データを作成して、ＩＣカードに記録されている有効期限データ１９１を更新する。
【００２４】
開閉手段３３０は、有効期限の判定結果が、有効期限内であれば、開錠して門を開く。あるいは、開閉手段３３０は、有効期限の判定結果が、有効期限外であれば、施錠して門を閉じる。
【００２５】
図６と図７は、ルートテーブル３９５の構造と例を説明する図である。
【００２６】
図６には、ルートテーブル３９５の構造が示されている。ルートテーブル３９５の項目は、開閉門特定情報３９５ａと所要時間情報３９５ｂとから構成されている。
開閉門特定情報３９５ａと所要時間情報３９５ｂとは、対応付けられている。
【００２７】
図７は、ルートテーブルの例である。
図７の（１）には、管理領域Ａに入場するときに用いるルートテーブル３９５ｗが、例示されている。開閉門特定情報３９５ａ「ゲートＡ」には、所要時間情報３９５ｂ「10」が対応付けられている。同様に、開閉門特定情報３９５ａ「ゲートＢ」には、所要時間情報３９５ｂ「01」が対応付けられている。また、開閉門特定情報３９５ａ「ゲートＣ」には、所要時間情報３９５ｂ「05」が対応付けられている。
【００２８】
図７の（２）には、管理領域Ｃに入場するときに用いるルートテーブル３９５ｘが、例示されている。開閉門特定情報３９５ａ「ゲートＣ」には、所要時間情報３９５ｂ「10」が対応付けられている。同様に、開閉門特定情報３９５ａ「ゲートＤ」には、所要時間情報３９５ｂ「03」が対応付けられて、開閉門特定情報３９５ａ「ゲートＥ」には、所要時間情報３９５ｂ「03」が対応付けられて、開閉門特定情報３９５ａ「ゲートＦ」には、所要時間情報３９５ｂ「03」が対応付けられている。
【００２９】
図７の（３）には、管理領域Ｃから退場するときに用いるルートテーブル３９５ｚが、例示されている。開閉門特定情報３９５ａ「ゲートＡ」には、所要時間情報３９５ｂ「05」が対応付けられている。同様に、開閉門特定情報３９５ａ「ゲートＢ」には、所要時間情報３９５ｂ「04」が対応付けられている。また、開閉門特定情報３９５ａ「ゲートＣ」には、所要時間情報３９５ｂ「10」が対応付けられている。
【００３０】
図８から図１２までは、滞留検知システム１の大まかな処理の流れを説明する図である。
【００３１】
図８は、ＩＣカード１００が管理領域５００に入場する前の滞留検知システム１の状態を説明する図である。
ＩＣカード１００は、有効期限データ１９１と通行許可情報１９３を記憶する。
通行許可情報１９３は、開閉門特定情報が「ゲートＡ」と、「ゲートＣ」と、「ゲートＤ」と、「ゲートＦ」である。すなわち、ＩＣカード１００は、開閉門特定情報が「ゲートＡ」と、「ゲートＣ」と、「ゲートＤ」と、「ゲートＦ」である開閉門装置３００の通過が許可されている。
【００３２】
有効期限データ１９１の開閉門特定情報１９１ａは、通過が許可されている開閉門装置３００の開閉門特定情報１９１ａ「ゲートＡ」と、「ゲートＣ」と、「ゲートＤ」と、「ゲートＦ」から構成されている。各有効期限データ１９１の通過期限時刻データ１９１ｂは、「null」である。
【００３３】
開閉門装置Ａ３００ａの開閉門特定情報は、「ゲートＡ」である。同様に、開閉門装置Ｂ３００ｂの開閉門特定情報は、「ゲートＢ」である。開閉門装置Ｃ３００ｃの開閉門特定情報は、「ゲートＣ」である。開閉門装置Ｄ３００ｄの開閉門特定情報は、「ゲートＤ」である。開閉門装置Ｅ３００ｅの開閉門特定情報は、「ゲートＥ」である。開閉門装置Ｆ３００ｆの開閉門特定情報は、「ゲートＦ」である。
【００３４】
図９は、ＩＣカード１００が、施設５００に入場する前の状態を説明する図である。
開閉門装置Ａ３００ａは、施設５００の管理領域Ａ５００ａに入場するときに通過する入場ゲートである。開閉門装置Ａ３００ａは、開閉門特定情報３９１「ゲートＡ」と管理領域Ａに入場するときに用いるルートテーブル３９５を記憶する。
管理領域Ａ５００ａは、たとえば玄関ホールである。
【００３５】
ＩＣカード１００は、通行許可情報１９３として、「ゲートＡ」「ゲートＣ」「ゲートＤ」「ゲートＦ」を記憶する。
【００３６】
図９は、ＩＣカード１００が、施設５００に入場したときの滞留検知システム１の処理手順を説明する図である。ＩＣカード１００を用いて外部から玄関ホール５００ａに入場するときに、ＩＣカード１００は、「ゲートＡ」が含まれる通行許可情報１９３を記憶するので、開閉門特定情報３９１「ゲートＡ」の開閉門装置Ａ３００ａを通過して入場することができる。
【００３７】
管理領域５００ａに入場したときに、開閉門装置Ａ３００ａは通過時刻「12:00」を保持する（図９（１））。開閉門装置Ａ３００ａは通行許可情報１９３の「ゲートＡ」を通過して、管理領域Ａに入場するときに用いるルートテーブル３９５ｗの開閉門特定情報３９５ａを参照して、通行許可情報１９３「ゲートＡ」と一致する開閉門特定情報３９５ａの所要時間情報３９５ｂ「10」を選択する（同（２））。次に、入場時刻「12:00」に、前記選択された所要時間情報３９５ｂ「10」を加算して、通過期限時刻データ１９１ｂ「12：10」を算出する（同（３））。
【００３８】
開閉門特定情報１９１ａ「ゲートＡ」と、前記算出された通過期限時刻データ１９１ｂ「12：10」を対応付けた有効期限データ１９１を作成して、ＩＣカード１００の通過期限時刻データを更新する（同（４））。
【００３９】
同様にして、開閉門装置Ａのルートテーブル３９５ｗを参照して、通行許可情報１９３「ゲートＣ」と一致する開閉門特定情報３９５ａの所要時間情報３９５ｂ「05」を選択して、通過期限時刻データ１９１ｂ「12：05」を算出して、開閉門特定情報１９１ａ「ゲートＣ」と対応付けた有効期限データ１９１を作成して、ＩＣカード１００の通過期限時刻データを更新する。なお、開閉門装置Ａのルートテーブル３９５には、開閉門特定情報５９１ａ「ゲートＤ」と「ゲートＦ」が存在しないので、通過期限時刻データ１９１ｂが算出できないので、「null」である。
【００４０】
図１０は、ＩＣカード１００が通路を通過して管理領域Ｃ５００ｃに入場したときの滞留検知システム１の処理手順を説明する図である。
ＩＣカード１００の通行許可情報１９３には、開閉門特定情報「ゲートＣ」が含まれるので、開閉門特定情報３９１「ゲートＣ」の開閉門装置Ｃ３００ｃを通過して管理領域Ｃ５００ｃに入場することができる。
【００４１】
管理領域５００ｃに入場したときに、開閉門装置Ｃ３００ｃは、入場時刻「12:04」を保持する（図１０（１））。次に、開閉門装置Ｃ３００ｃは、管理領域Ｃに入場するときに用いるルートテーブル３９５ｘを参照して、通行許可情報１９３の「ゲートＣ」と一致する開閉門特定情報３９５ａ「ゲートＣ」に対応する所要時間情報３９５ｂ「10」を選択する（同（２））。次に、入場時刻「12:04」に、所要時間情報３９５ｂ「10」を加算して、通過期限時刻データ１９１ｂ「12：14」を算出する（同（３））。開閉門特定情報１９１ａ「ゲートＣ」と、前記算出された通過期限時刻データ１９１ｂ「12：14」を対応付けた有効期限データ１９１を作成して、ＩＣカード１００の通過期限時刻データを更新する（同（４））。
【００４２】
同様にして、開閉門装置Ｃのルートテーブル３９５ｘを参照して、通行許可情報１９３の「ゲートＤ」と一致する開閉門特定情報３９５ａ「ゲートＤ」に対応する所要時間情報３９５ｂ「03」を選択して、入場時刻「12:04」に、所要時間情報３９５ｂ「03」を加算して、通過期限時刻データ１９１ｂ「12：07」を算出して、開閉門特定情報１９１ａ「ゲートＤ」と、前記算出された通過期限時刻データ１９１ｂ「12：07」を対応付けた有効期限データ１９１を作成して、ＩＣカード１００の通過期限時刻データを更新する。
【００４３】
同様にして、開閉門装置Ｃのルートテーブル３９５を参照して、通行許可情報１９３の「ゲートＦ」と一致する開閉門特定情報３９５ａ「ゲートＦ」に対応する所要時間情報３９５ｂ「03」を選択して、入場時刻「12:04」に、所要時間情報３９５ｂ「03」を加算して、通過期限時刻データ１９１ｂ「12：07」を算出して、開閉門特定情報１９１ａ「ゲートＦ」と、前記算出された通過期限時刻データ１９１ｂ「12：07」を対応付けた有効期限データ１９１を作成して、ＩＣカード１００の通過期限時刻データを更新する。
【００４４】
図１１は、ＩＣカード１００が管理領域５００ｄ (会議室)に入場するときの滞留検知システム１の処理手順を説明する図である。ＩＣカード１００の通行許可情報１９３には、開閉門特定情報「ゲートＤ」が含まれるので、開閉門特定情報３９１「ゲートＤ」を持つ「開閉門装置Ｄ」３００ｃを通過して入場することができる。管理領域５００ｄに入場するときに、開閉門特定情報１９１ａ「ゲートＤ」と、通過期限時刻データ１９１ｂ「∞」を対応付けた有効期限データ１９１を作成して、ＩＣカード１００の通過期限時刻データを更新する。そのほかの通過期限時刻データの通過期限時刻データ１９１ｂは「null」に更新する。
【００４５】
なお、通過期限時刻データ１９１ｂが「∞」でるということは、無制限に管理領域５００ｄに滞在することを意味している。逆に、滞在時間を制限したいときには、所定の通過期限時刻データ１９１ｂを設定すればよい。
【００４６】
以上詳しく説明したように、本願発明によれば、
（１）施設利用者が所持するＩＣカードが有効期限内であれば、開閉門装置を利用して共有空間を通過することができた。
（２）一方、施設利用者が所持するＩＣカードが有効期限を過ぎていれば、開閉門装置を利用することができないので、共有空間に侵入することや通過することを阻止できた。
【図面の簡単な説明】
【００４７】
【図１】本発明による滞留検知システム
【図２】ＩＣカード１００の詳細な構成図
【図３】有効期限データ１９１の構造と例
【図４】通行許可情報１９３の例
【図５】本発明による開閉門装置３００の詳細な構成図
【図６】ルートテーブル３９５の構造
【図７】ルートテーブルの例
【図８】ＩＣカード１００が管理領域５００に入場する前の滞留検知システム１の状態を説明する図
【図９】ＩＣカード１００が施設５００に入場するときの滞留検知システム１の処理手順
【図１０】ＩＣカード１００が通路を通過するときの滞留検知システム１の処理手順
【図１１】ＩＣカード１００が会議室に入室するときの滞留検知システム１の処理手順
【符号の説明】
【００４８】
１  滞留検知システム
１００  ＩＣカード
１９１  有効期限データ
１９１ａ  開閉門特定情報
１９１ｂ  通過期限時刻データ
１９３  通行許可情報
３００  開閉門装置
３１０  通過許可判定手段
３２０  有効期限記録手段
３３０  開閉手段
３９１  開閉門特定情報
３９５  ルートテーブル
３９５ａ  開閉門特定情報
３９５ｂ  所要時間情報
【図１】
2008197950.tif 000003
【図２】
2008197950.tif 000004
【図３】
2008197950.tif 000005
【図４】
2008197950.tif 000006
【図５】
2008197950.tif 000007
【図６】
2008197950.tif 000008
【図７】
2008197950.tif 000009
【図８】
2008197950.tif 000010
【図９】
2008197950.tif 000011
【図１０】
2008197950.tif 000012
【図１１】
2008197950.tif 000013